(57)【要約】【課題】柔軟性が好適で、曲げ易く、使用の際に快適でかつ固定性も良く、ブラシ毛の柄部が支持具の取付穴から引き出し難い歯間ブラシを提供することを目的をする。【解決手段】歯間ブラシ１００は、支持具１と、ブラシ毛２と、固定部材３と、被覆部材４とを含み、支持具１の一端に取付穴１１が設けられ、取付穴１１が支持具１の内部に延び、ブラシ毛２は支持具１の取付穴１１内に差し込まれる柄部２１を有し、固定部材３は支持具１内に設置されるとともにブラシ毛２の柄部２１に固定され、被覆部材４は支持具１および前記固定部材３を覆うようにした。このようにして、柔軟性が好適で、曲げ易く、使用の際に快適でかつ固定性も良く、ブラシ毛２の柄部２１が支持具１の取付穴１１から引き出し難い歯間ブラシ１００を形成した。【選択図】図４
2007260406.tif 000002
【特許請求の範囲】
【請求項１】
一端に取付穴が設けられ、前記取付穴が内部に延びた支持具と、
柄部および前記柄部に植設されたブラシ毛部を含み、前記柄部が前記支持具の取付穴内に差し込まれたブラシ毛と、
前記支持具内に設置されるとともに前記ブラシ毛の柄部に固定された固定部材と、
前記支持具および前記固定部材を覆う被覆部材と
を備えることを特徴とする歯間ブラシ。
【請求項２】
前記支持具はプラスチック材であることを特徴とする請求項１記載の歯間ブラシ。
【請求項３】
前記支持具は長尺状であることを特徴とする請求項１記載の歯間ブラシ。
【請求項４】
前記支持具の内部に収容空間が形成され、前記固定部材が前記収容空間内に収容され、前記収容空間の内壁に凸部が形成され、前記凸部が前記ブラシ毛の柄部に当接し、前記ブラシ毛を前記支持具上に一時的に固定させることを特徴とする請求項１記載の歯間ブラシ。
【請求項５】
前記固定部材は金属部材またはプラスチック材であることを特徴とする請求項１記載の歯間ブラシ。
【請求項６】
前記固定部材は前記ブラシ毛の柄部に係止固定されたことを特徴とする請求項１記載の歯間ブラシ。
【請求項７】
前記固定部材は前記ブラシ毛の柄部に押し付けられて固定されたことを特徴とする請求項１記載の歯間ブラシ。
【請求項８】
前記固定部材は前記ブラシ毛の柄部に射出成形して固定されたことを特徴とする請求項１記載の歯間ブラシ。
【請求項９】
前記固定部材は前記ブラシ毛の柄部にプレスして固定されたことを特徴とする請求項１記載の歯間ブラシ。
【請求項１０】
前記固定部材は前記ブラシ毛の柄部に超音波接合して固定されたことを特徴とする請求項１記載の歯間ブラシ。
【請求項１１】
前記被覆部材は軟質なプラスチック材であることを特徴とする請求項１記載の歯間ブラシ。
【請求項１２】
前記被覆部材の色は前記支持具と異なり、前記被覆部材は前記支持具の一部を覆い、前記支持具の一部を露出させることを特徴とする請求項１記載の歯間ブラシ。
【発明の詳細な説明】
【技術分野】
【０００１】
本発明は、歯間ブラシに係り、特に、柔軟性が好適で、曲げ易く、使用の際に快適でかつ固定性も良く、ブラシ毛の柄部が支持具の取付穴から引き出し難い、口の中をクリーンにするための器具を指す。
【背景技術】
【０００２】
歯間ブラシは、口の中をクリーンにする器具であって、歯間ブラシの使用は、従来の硬質なつまようじよりも柔軟性および歯の隙間の食べ物のかすを掃除する時の便利性を備えている（例えば、特許文献１参照）。図１に示すように、従来の歯間ブラシ８０は、先ず支持具７を成形し、ここで、前記支持具７がプラスチックで作製され、前記支持具７の先端には取付穴７１が設けられ、前記取付穴７１が軸方向を沿って支持具７の内部に延びている。前記支持具７の取付穴７１にはブラシ毛８が取り付けられている。前記ブラシ毛８は、柄部８１および柄部８１の前部に植設されたブラシ毛部８２を含み、ブラシ毛８の柄部８１を支持具７の取付穴７１内に差し込んで、その後、治具でブラシ毛８の柄部８１をプレッシングして曲折部８３を形成し、ブラシ毛８の柄部８１が支持具７の取付穴７１内に位置決められるようにする。最後に、被覆部材９を成形する。前記被覆部材９は、支持具７の一部を覆い、前記被覆部材９が一般に別色であって、美観性を増加させ、かつ、ブラシ毛８の柄部８１を覆い固定できる。
【０００３】
前記従来の歯間ブラシ８０は、外見の被覆部材９を直接的に利用してブラシ毛８の柄部８１を固定し、前記被覆部材９が一般に軟質なプラスチック材または硬質なプラスチック材で作製される。軟質なプラスチック材で作製された被覆部材９は、その柔軟性が好適で、曲げ易く、歯間ブラシを使用する際に快適であるが、軟質なプラスチック材で作製された被覆部材９の固定性は良くなく、ブラシ毛８の柄部８１が支持具７の取付穴７１から引き出し（回り出し）易い。一方、硬質なプラスチック材で作製された被覆部材９は、その固定性が良く、ブラシ毛８の柄部８１が支持具７の取付穴７１から引き出されることを防止できるが、その柔軟性が良くない。すなわち、硬質なプラスチック材で作製された被覆部材９は、曲げ難く、且つ歯間ブラシを使用する際に快適ではない。
【０００４】
そのため、本発明者は、前記欠点が改良できるのを感心して、合理な設計且つ前記の欠点を有効に改良できた本発明を提案した。
【特許文献１】特開平８―２２８４０号公報
【発明の開示】
【発明が解決しようとする課題】
【０００５】
本発明の主な目的は、柔軟性が好適で、曲げ易く、使用の際に快適でかつ固定性も良く、ブラシ毛の柄部が支持具の取付穴から引き出し難い歯間ブラシを提供する。
【０００６】
前記目的を達成するため、本発明は、一端に取付穴が設けられ、前記取付穴が内部に延びた支持具と、柄部および前記柄部に植設されたブラシ毛部を含み、前記柄部が前記支持具の取付穴内に差し込まれたブラシ毛と、前記支持具内に設置されるとともに前記ブラシ毛の柄部に固定された固定部材と、前記支持具および前記固定部材を覆う被覆部材とを備えることを特徴とする歯間ブラシを提供する。
【発明の効果】
【０００７】
本発明によれば、柔軟性が好適で、曲げ易く、使用の際に快適でかつ固定性も良く、ブラシ毛の柄部が支持具の取付穴から引き出し難い歯間ブラシを提供することができる。
【０００８】
本発明の特徴および技術内容をより詳しく了解するために、以下に本発明に関わる詳細な説明及び添付図面を参照するが、それらの添付図面が参考及び説明のみに使われ、本発明の主張範囲を狭義的に局限するものではないことは言うまでもないことである。
【発明を実施するための最良の形態】
【０００９】
図２〜図４を参照すると、本発明は、支持具１と、ブラシ毛２と、固定部材３と、被覆部材４とを含む歯間ブラシ１００を提供し、支持具１は、プラスチック材からなり、プラスチック射出成形で形成されている。前記支持具１は長尺状または他の形状からなり、把持し易いように形成されている。支持具１は、その一端（先端）に取付穴１１が設けられ、前記取付穴１１が軸方向を沿って支持具１の内部に延びている。支持具１の内部には、固定部材３および被覆部材４を収容できるように収容空間１２が形成され、収容空間１２の内壁に凸部１３が形成されている。前記凸部１３は、収容空間１２の内壁に突出し、ブラシ毛２を当接する機能を提供でき、ブラシ毛２を支持具１上に一時的に固定させる。
【００１０】
前記ブラシ毛２は、柄部２１およびブラシ毛部２２を含み、前記柄部２１は一般にステンレスなどで長尺状の棒に捻り、ブラシ毛部２２は柄部２１の前部に植設されている。ブラシ毛２は、図２に示すように、前から後に向かって支持具１の取付穴１１内に差し込まれ、かつ、柄部２１の後端を収容空間１２内に伸び入れ、凸部１３がブラシ毛２の柄部２１に当接し、ブラシ毛２を支持具１上に一時的に固定させる。
【００１１】
図３および図４に示すように、前記固定部材３は、被覆部材４とは別の独立部材で、その材質及び構造は限られない。本実施例では、固定部材３は金属部材で、図３に示すように、支持具１の収容空間１２内に設置され、かつ係止の方式でブラシ毛２の柄部２１に固定される。図３Ａに示すように、前記固定部材３にはスリット３１が開設されており、前記固定部材３が前記スリット３１で柄部２１に係止固定されている。
【００１２】
図４に示すように、前記被覆部材４は、支持具１および固定部材３を覆い、前記被覆部材４はプラスチック射出成形で形成され、軟質なプラスチック材からなる。前記被覆部材４は支持具１と色が異なり（又は同じ）、前記被覆部材４が支持具１の一部を覆い（図４に示すように）支持具１の一部を露出させ、歯間ブラシの外見が二つの色に形成され、外見がより綺麗になるように構成されている。前記被覆部材４は、ブラシ毛２の柄部２１および固定部材３を覆い固定でき、このようにして本発明の歯間ブラシを形成した。
【００１３】
また、図５〜図８は、本発明の他の実施例であり、第一実施例との違いは、固定部材３の変化だけである。図５に示すように、本実施例では、固定部材３は金属部材で、押し付けでブラシ毛２の柄部２１に固定されている。図６に示すように、本実施例では、固定部材３はプラスチック材で、射出成形の方式でブラシ毛２の柄部２１に固定されている。図７に示すように、本実施例では、固定部材３は金属部材で、プレスの方式でブラシ毛２の柄部２１に固定されている。図８に示すように、本実施例では、固定部材３はプラスチック材で、超音波接合の方式でブラシ毛２の柄部２１に固定されている。
【００１４】
また、図９を参照すると、本実施例では、前記凸部１３は収納空間１２内に横設されている。
【００１５】
本発明は、主に固定部材３でブラシ毛２の柄部２１を固定し、外見的な被覆部材４のみでブラシ毛２の柄部２１を固定するではないため、前記被覆部材４は、軟質なプラスチック材を採用でき、歯間ブラシ１００の柔軟性が好適で、曲げ易く、使用の際に快適になり、かつ固定部材３がブラシ毛２の柄部２１を支持具１内に安定的に固定できる。また、歯間ブラシ１００では、その固定性も良く、引張力を抵抗でき、ブラシ毛２の柄部２１が支持具１の取付穴１１から引き出されることを防止できる。
【００１６】
しかし、前記の説明は、単に本発明の好ましい具体的な実施例に過ぎず、本発明の特許請求の範囲を局限するものではなく、本発明の主張する範囲は、下記の特許請求の範囲に基づくべき、いずれの当分野における通常の知識を有する専門家が本発明の分野の中で、適当に変更や修飾などを実施できるが、それらの実施のことが本発明の主張範囲内に納入されるべきことは言うまでもないことである。
【図面の簡単な説明】
【００１７】
【図１】図１は、従来の歯間ブラシを示す断面図である。
【図２】図２は、本発明に係る歯間ブラシの第一実施例の取付を示す断面図（１）である。
【図３】図３は、本発明に係る歯間ブラシの第一実施例の取付を示す断面図（２）である。
【図３Ａ】図３Ａは、本発明に係る歯間ブラシの第一実施例の固定部材を示す平面図である。
【図４】図４は、本発明に係る歯間ブラシの第一実施例を示す断面図である。
【図５】図５は、本発明に係る歯間ブラシの第二実施例を示す断面図である。
【図６】図６は、本発明に係る歯間ブラシの第三実施例を示す断面図である。
【図７】図７は、本発明に係る歯間ブラシの第四実施例を示す断面図である。
【図８】図８は、本発明に係る歯間ブラシの第五実施例を示す断面図である。
【図９】図９は、本発明に係る歯間ブラシの第六実施例を示す断面図である。
【符号の説明】
【００１８】
１００歯間ブラシ
１支持具
２ブラシ毛
３固定部材
４被覆部材
１１取付穴
１２収容空間
１３凸部
２１柄部
２２ブラシ毛部
３１スリット
７支持具
７１取付穴
８ブラシ毛
８１柄部
８２ブラシ毛部
８３曲折部
９被覆部材
【図１】
2007260406.tif 000003
【図２】
2007260406.tif 000004
【図３】
2007260406.tif 000005
【図３Ａ】
2007260406.tif 000006
【図４】
2007260406.tif 000007
【図５】
2007260406.tif 000008
【図６】
2007260406.tif 000009
【図７】
2007260406.tif 000010
【図８】
2007260406.tif 000011
【図９】
2007260406.tif 000012